(57)【要約】【課題】  歩行時に靴に傾き力やねじれ力が作用せず、体にストレスを与えない靴の構造を提供することである。【解決手段】アウターソール２１を備えた靴に関する。そして、このアウターソール２１を水平面に置いたとき、アウターソール２１の踵部の第１ポイントと、歩行時に屈曲する足の踏み付け部２２の位置に相当するアウターソール２１の両外側の第２，３ポイントとの３点が同時に接触するようにしたものである。そして、足の踵から踏み付け部にかけて形成される２本の縦アーチ２６，２７と前記踏み付け部２２に形成される横アーチ２４との交点に対応するアウターソールの位置に前記第２，３ポイントを設定している。【選択図】  図１
2017042484.tif 000002
【特許請求の範囲】
【請求項１】
アウターソールを備えた靴であって、このアウターソールを水平面に置いたとき、靴の踵部となる第１ポイントと、歩行時に屈曲する足の踏み付け部の位置に相当するアウターソールの両外側の第２，３ポイントと、の３点が同時に接触する靴の構造。
【請求項２】
足の踵から前記踏み付け部にかけて形成される２本の縦アーチと前記踏み付け部に形成される横アーチとの交点に対応するアウターソールの位置に前記第２，３ポイントを設定した請求項１に記載の靴の構造。
【発明の詳細な説明】
【技術分野】
【０００１】
この発明は、靴の不安定性からくる種々の障害を予防できる靴の構造に関する。
【背景技術】
【０００２】
機能性の高い靴として、歩行時に屈曲する足の踏み付け部に対応する部分の屈曲性がしばしば取り上げられる。確かに、足の踏み付け部に対応する部分の屈曲性が悪ければ、足底のアーチの機能が劣化し、歩行中の疲労の原因になったり、足底の筋肉や神経などの保護に支障をきたしたりすることになる。
しかし、靴を水平面に置いた時の安定性については、ほとんど問題にされていなかった。
【０００３】
例えば、市販の靴を水平面に置いたとき、多くの靴は、図４に示したアウターソール１の第１〜第６ポイント２〜７のうち、少なくとも２個所が接地面から浮いてしまう。
また、市販の靴のうち、両方もしくは左右いずれかの靴は、それを水平面に接触させたとき、上記第１〜第４ポイント２〜５がしっかりと接触しているが、他方の靴は上記のように少なくと２個所が水平面から浮いてしまっているということも多くあった。
【０００４】
いずれにしても、第１〜第４ポイント２〜５が水平面にしっかり接触する靴でなければその安定性が保てない。例えば、第２ポイント３と第４ポイント５が水平面から浮いていて、第１ポイント２、第３ポイント４、第５，６ポイント６，７が水平面に接触している状態で、押し点９を間欠的に押すと、第２，３ポイント３，４を結ぶ線を中心に靴ががたつく。
【０００５】
このような靴を履いて歩いたとき、第１，２ポイント２，３が接地した後、第６，４ポイント７，５が接地し、さらに第５ポイント６が接地する。そして、最後に第４ポイント５は第６ポイント７が接地した後に接地する。
【０００６】
上記のように第６ポイント７が接地した後に第４ポイント５が接地するので、第４ポイント５が接地する瞬間は、この第４ポイント５で足の力を支えられない。そのために、第４ポイント５の着地時には第６ポイント７が支点になって、靴が傾いたり、ねじれたりする。
【０００７】
また、第２，３ポイント３，４が浮いて、他のポイントが接地している状況で、押し点８を間欠的に押すと、第１，４ポイント２，５を結ぶ線を中心に靴ががたつくことになり、靴が傾いたり、ねじれたりすることになる。
なお、先行技術文献として公開公報を調査したが、従来技術に相当するものはなかった。
【発明の概要】
【発明が解決しようとする課題】
【０００８】
上記のようにした従来の靴には、歩行時に傾き力やねじれ力が作用するので、その靴をはいた人には体全体に大きなストレスが蓄積される。このストレスは、関節の障害や腰痛などの原因になったり、外反母趾の原因になったりするという問題があった。
この発明の目的は、歩行時に靴に傾き力やねじれ力が作用せず、体にストレスを与えない靴の構造を提供することである。
【課題を解決するための手段】
【０００９】
第１の発明は、アウターソールを備えた靴に関する。そして、このアウターソールを水平面に置いたとき、靴の踵部の第１ポイントと、歩行時に屈曲する足の踏み付け部の位置に相当するアウターソールの両外側の第２，３ポイントと、の３点が同時に接触するようにしたものである。
【００１０】
第２の発明は、足の踵から踏み付け部にかけて形成される２本の縦アーチと前記踏み付け部に形成される横アーチとの交点に対応するアウターソールの位置に前記第２，３ポイントを設定している。
【発明の効果】
【００１１】
第１の発明における靴の構造によれば、歩行中の靴に、傾き力もねじれ力も作用しないので、当該靴を履いて歩いても体にストレスを蓄積することがない。このように体にストレスが蓄積されないので、関節障害や外反母趾を引き起こしたりしない。
【００１２】
第２の発明における靴の構造によれば、歩行時に３つのポイントがしっかりと接地するので、縦アーチや横アーチを維持することができる。このように足にあるアーチを維持できるので、足を蹴り出す力、衝撃の緩衝あるいは足底の筋肉や神経の保護に有利である。
【図面の簡単な説明】
【００１３】
【図１】靴のアウターソールの平面図である。
【図２】歩行時に屈曲する踏み付け部の屈曲状況を示した斜視図である。
【図３】縦アーチと横アーチが交差する状況を示した斜視図である。
【図４】従来の靴のアウターソールの平面図である。
【発明を実施するための形態】
【００１４】
図示の実施形態の靴は、それを水平面に置いたとき、アウターソール２１の第１〜第３ポイントＰ１〜Ｐ３のすべてが上記水平面に同時に接触する構造にしている。
上記第１ポイントＰ１は、アウターソール２１の踵部２１ａのほぼ中心位置に設定している。
【００１５】
また、上記第２，３ポイントＰ２，Ｐ３は、次のように設定している。
すなわち、足Ｆには図２に示すように、歩行時に屈曲する部分に踏み付け部２２が存在する。この踏み付け部２２の上記屈曲部２３には、図３に示すように横アーチ２４が形成されている。また、足Ｆの踵２５の中心位置から、親指の内側及び小指の内側に向かって２本の縦アーチ２６，２７が形成されている。
【００１６】
そして、上記横アーチ２４と２本の縦アーチ２６，２７とは交差するが、この交差部に相当するアウターソール２１の部分を上記第２，３ポイントＰ２，Ｐ３としている。
上記のようにアウターソール２１の踵部２１ａのほぼ中心位置、及び足Ｆに形成されている横アーチ２４と２本の縦アーチ２６，２７との交差部分に対応するアウターソール２１の位置のそれぞれに、第１〜第３ポイントＰ１〜Ｐ３を設定し、当該靴を水平面に接触させたとき、第１〜第３ポイントＰ１〜Ｐ３の３点が上記水平面に同時に接触するようにしている。
【００１７】
上記のように３つのポイントＰ１〜Ｐ３が水平面に同時に接触するようにしているが、上記第１ポイントＰ１は、靴の接地時に最も大きな力が作用する踵部２１ａにあり、また、第２，３ポイントＰ２，Ｐ３は、歩行時に足Ｆを蹴り出す力が作用する位置にある。
【００１８】
このように歩行時に大きな力が作用する第１〜第３ポイントＰ１〜Ｐ３のそれぞれが、歩行時に確実に接地するので、例えば、従来のように、歩行時に第２ポイントＰ２あるいは第３ポイントＰ３が接地面から離れて力を支えきれないということがなくなる。
【００１９】
しかも、歩行時には先ず踵部２１ａが接地するとともに、足Ｆを蹴り出す直前は、第１〜第３ポイントＰ１〜Ｐ３のすべてが同時に接地する。このように足Ｆを蹴り出す直前に第１〜第３ポイントＰ１〜Ｐ３のすべてが同時に接地するので、足Ｆを蹴り出すために大きな力が作用する次の段階で、その蹴り出し力の大きさと方向を安定させることができる。したがって、靴に傾き力やねじれ力が作用しない。靴に傾き力やねじれ力が作用しないので、靴を履く人にはストレスがほとんど蓄積されない。
【００２０】
また、上記のように蹴り出し力の大きさと方向を安定的に保てるので、足底に現れる横アーチや縦アーチを維持することができる。したがって、これらアーチがもっている、足を蹴り出す力、衝撃の緩衝及び足底の筋肉や神経の保護等の機能を維持することができる。
【００２１】
なお、この発明は、靴を水平面に置いたときにそれがガタ付くと、足Ｆを安定的に支えられないという点に着目したことが最大の特徴である。
ところが、従来は、靴を水平面に置いたときのガタ付きを修正するという考えがなかったので、市販されている靴には、上記第１〜第３ポイントＰ１〜Ｐ３がぴったり接触するものが非常に少なくなっている。
しかし、第１〜第３ポイントＰ１〜Ｐ３に着目して安定的な靴という概念が明確なれば、靴の製造過程で不安定性を確実に解消できる。
【００２２】
なお、上記実施形態において、踵部２１ａに設定した第１ポイントＰ１は、踵部２１ａの中心に限定されるものではない。また、横アーチ２４と縦アーチ２６，２７との交点に対応する第２，３ポイントＰ２，Ｐ３も、その交差する１点を指すのではなく、当該靴を水平面に接触させたとき、第１〜第３ポイントＰ１〜Ｐ３が同時に接触できる範囲であれば、ある程度の誤差は許される。
【産業上の利用可能性】
【００２３】
この発明は、種々の障害を予防できる安定的な靴の構造として有益である。
【符号の説明】
【００２４】
２１…アウターソール、２１ａ…踵部、Ｐ１〜Ｐ３…第１〜第３ポイント、２２…踏み付け部、２３…屈曲部、２４…横アーチ、Ｆ…足、２６，２７…縦アーチ
【図１】
2017042484.tif 000003
【図２】
2017042484.tif 000004
【図３】
2017042484.tif 000005
【図４】
2017042484.tif 000006